(57)【要約】【課題】帯電防止剤を塗布する手段を設けることなく簡易な構成で、且つ従来と同等の設置スペースを維持して装置の大型化を防止できるとともに、定着ベルトの帯電を抑制して帯電オフセットの発生を防止する。【解決手段】無端状の定着ベルト１３０を介して定着部材（定着ローラ１２０）を押圧する加圧部材（加圧ローラ１４０）を有し、定着ベルト１３０及び加圧部材間に定着ニップ部１５１を構成した定着部１１において、定着ベルト１３０を該定着ベルト１３０の内周面側から除電する除電手段（導電性が付与され接地されてなる、加熱ローラ１１０のコート層１１２及び／又は定着ローラ１２０の弾性体層１２１）を備える。【選択図】図３
2007219232.tif 000002
【特許請求の範囲】
【請求項１】
無端状の定着ベルトを介して定着部材を押圧する加圧部材を有し、前記定着ベルト及び加圧部材間にニップ部を構成した定着装置において、
前記無端状の定着ベルトを該定着ベルトの内周面側から除電する除電手段を備えることを特徴とする定着装置。
【請求項２】
前記除電手段は、
前記定着ベルトを支持する所定の支持部材における少なくとも一部材から構成されるものであって、該一部材が導電性を有し且つ接地されてなるものであることを特徴とする請求項１に記載の定着装置。
【請求項３】
前記支持部材は、前記定着ベルトを加熱する加熱ローラ及び前記定着部材としての定着ローラであり、
前記除電手段は、導電性を有し且つ接地されてなる前記加熱ローラ及び／又は定着ローラであることを特徴とする請求項２に記載の定着装置。
【請求項４】
前記除電手段は、
前記定着ベルトにおける、該定着ベルトを支持する支持部材が接触している箇所以外の内周面と接触する除電部材からなるものであることを特徴とする請求項２又は３に記載の定着装置。
【請求項５】
前記請求項１〜４のいずれかに記載の定着装置を用いたものであることを特徴とする画像形成装置。
【発明の詳細な説明】
【技術分野】
【０００１】
本発明は、転写材上の未定着トナー像を溶融定着する定着装置及びこれを用いた画像形成装置に関するものである。
【背景技術】
【０００２】
転写材上の未定着トナー像を溶融定着する定着装置においては、省エネルギーを達成するための一方法として、目標温度に到達する時間（ウォームアップタイム）をできるだけ短縮させるという方向での技術開発が進められている。その手段の一つとして、定着部の熱容量をできるだけ小さくするために、定着に際して加熱を行う加熱部にベルト（定着ベルト）を用いる場合がある。また、このような定着装置に関わらず、一般的に電子写真システムの定着装置においては、定着部通過時に、溶融したトナーを転写材（用紙）上に定着させ且つ定着部側に融着させないように、ニップ部における記録面側及び裏面側、すなわち定着部における記録紙のトナー像形成面に対向する部位、及び該記録紙のトナー像形成面と反対側の紙面に対向する部位にフッ素樹脂等からなる離形層を有している。これにより、物理的なトナー付着は防止できるものの、この離形層が用紙と摩擦接触して摩擦帯電（離形層が例えばマイナスに帯電する）を生じ、そのためトナーが電気的に離形層に付着してしまい、静電オフセットを引き起こす。そして離形層に付着したトナーが次の用紙等に定着するといった事態を招いてしまう。上記ベルトを用いた場合も同様であり、これを防止する手段として、例えば特許文献１には、ベルトの離形層の表面にアミノ変性シリコーンオイル等の帯電防止剤を塗布する技術が開示されている。
【特許文献１】特開２００１−１８３９２８号公報
【発明の開示】
【発明が解決しようとする課題】
【０００３】
しかしながら、上記従来技術の方法により、ベルト表面（離形層表面）の帯電を抑えることは可能となるものの、ベルト表面（外周面）に帯電防止剤を塗布するための手段を設ける必要があり、この塗布手段の設置スペース確保に伴う装置の大型化或いは高コスト化を招いてしまう。
【０００４】
本発明は上記問題に鑑みてなされたもので、帯電防止剤を塗布する手段を設けることなく簡易な構成で、且つ従来と同等の設置スペース（定着装置サイズ）を維持して装置の大型化を防止できるとともに、ベルトの帯電を抑制して帯電オフセットの発生を防止することが可能な定着装置及びこれを用いた画像形成装置を提供することを目的とする。
【課題を解決するための手段】
【０００５】
本発明に係る定着装置は、無端状の定着ベルトを介して定着部材を押圧する加圧部材を有し、前記定着ベルト及び加圧部材間にニップ部を構成した定着装置において、前記無端状の定着ベルトを該定着ベルトの内周面側から除電する除電手段を備えることを特徴とする。
【０００６】
上記構成によれば、無端状の定着ベルトを介して定着部材を押圧する加圧部材を有し、定着ベルト及び加圧部材間にニップ部を構成した定着装置において、除電手段によって、無端状の定着ベルトが該定着ベルトの内周面側から除電される。
【０００７】
また、上記構成において、前記除電手段は、前記定着ベルトを支持する所定の支持部材における少なくとも一部材から構成されるものであって、該一部材が導電性を有し且つ接地されてなるものであることが好ましい。これによれば、除電手段が、定着ベルトを支持する所定の支持部材における少なくとも一部材から構成されるものであって、該一部材が導電性を有し且つ接地されてなるものとされる。
【０００８】
また、上記構成において、前記支持部材は、前記定着ベルトを加熱する加熱ローラ及び前記定着部材としての定着ローラであり、前記除電手段は、導電性を有し且つ接地されてなる前記加熱ローラ及び／又は定着ローラであることが好ましい。これによれば、支持部材が、定着ベルトを加熱する加熱ローラ及び定着部材としての定着ローラとされ、除電手段が、導電性を有し且つ接地されてなる当該加熱ローラ及び／又は定着ローラとされる。
【０００９】
また、上記構成において、前記除電手段は、前記定着ベルトにおける、該定着ベルトを支持する支持部材が接触している箇所以外の内周面と接触する除電部材からなるものであることが好ましい。これによれば、除電手段が、定着ベルトにおける、該定着ベルトを支持する支持部材が接触している箇所以外の内周面と接触する除電部材からなるものとされる。
【００１０】
また、本発明に係る画像形成装置は、前記いずれかの構成を備える定着装置を用いたものであることを特徴とする。これによれば、画像形成装置が前記いずれかの構成を備える定着装置を用いたものとされる。
【発明の効果】
【００１１】
請求項１、４記載の発明によれば、除電手段を備え、除電手段によって無端状の定着ベルトが該定着ベルトの内周面側から除電される構成であるので、帯電防止剤を塗布する手段を設けることなく簡易な構成で、且つ従来と同等の設置スペース（定着装置サイズ）を維持して装置の大型化を防止できるとともに、定着ベルトの帯電、例えば通紙による定着ベルト表面の摩擦帯電を抑制して帯電オフセットの発生を防止することが可能となる。
【００１２】
請求項２記載の発明によれば、定着ベルトを支持する支持部材における、導電性を有し且つ接地された少なくとも一部材から構成されるものが除電手段とされるので、別途除電専用の装置等を設ける必要がなく除電手段を支持部材と兼用することができ、装置の複雑化及び大型化を防止できる。
【００１３】
請求項３記載の発明によれば、除電手段が、導電性を有し且つ接地されてなる支持部材としての加熱ローラ及び定着ローラの少なくともいずれか一方とされるので、別途除電専用の装置等を設ける必要がなく除電手段を既設の加熱ローラや定着ローラと兼用することができ、装置の複雑化及び大型化をより一層防止できる。
【００１４】
請求項５記載の発明によれば、帯電防止剤を塗布する手段を設けることなく簡易な構成で、且つ従来と同等の設置スペース（定着装置サイズ）を維持して装置の大型化を防止できるとともに、定着ベルトの帯電、例えば通紙による定着ベルト表面の摩擦帯電を抑制して帯電オフセットの発生を防止することが可能な画像形成装置を実現できる。また、除電手段が、定着ベルトを支持する導電性を有し且つ接地されてなる支持部材と兼用されたり、さらにはこの支持部材（除電手段）が既設の加熱ローラや定着ローラとされるので、装置の複雑化及び大型化がより一層防止された画像形成装置を実現できる。
【発明を実施するための最良の形態】
【００１５】
以下、本発明に係る定着装置及び画像形成装置について図面を参照しながら説明する。図１は、本発明に係る定着装置が適用された画像形成装置の内部構成を概略的に示す断面図である。本発明に係る画像形成装置は、未定着トナー像を溶融定着することで画像形成を行う複写機、複合機、プリンタ或いはファクシミリ等が対象となる。本実施形態では、この画像形成装置としてプリンタ１を例に挙げて説明する。プリンタ１は、プリンタ本体１０内に画像形成部２が設けられている。画像形成部２は、用紙に対する画像の形成（印刷）を行うものであり、同図中に示す矢印方向に回転可能に構成された例えばアモルファスシリコンからなる像担持体としての感光体ドラム３、この感光体ドラム３の周囲に配設された帯電部４、露光部５、現像部６及びクリーニング部７等を備えている。
【００１６】
帯電部４は、感光体ドラム３の表面を所定電位に均一に帯電させるものである。露光部５は所謂レーザ走査ユニット（レーザスキャナ）であり、後述の画像データ記憶部４０等から送信されてきた画像データに基づき生成されたレーザービームを感光体ドラム３の表面に照射し、感光体ドラム３上に静電潜像を形成するものである。現像部６は、トナー（現像剤）を収納する所謂コンテナからなるトナーカートリッジ６１、及び現像ローラ６２１等を備えた現像ユニット６２から構成され、感光体ドラム３に形成された静電潜像に対して、トナーカートリッジ６１から供給されるトナーを付着させることで、トナー像として静電潜像を顕在化させるものである。クリーニング部７は、後述の転写部９によるトナー転写が終了した後、感光体ドラム３の表面に残留しているトナーを清掃するものである。
【００１７】
また、プリンタ１は、画像形成部２（感光体ドラム３）へ向けて給紙を行う給紙部８、感光体ドラム３上のトナー像を用紙に転写する転写部９、及び用紙に転写されたトナー像の定着を行う定着部１１を備えている。給紙部８は、各サイズの用紙を収納する給紙カセット８１、収納されている用紙を取り出すためのピックアップローラ８２、用紙が搬送される経路である搬送路８３及び搬送路８３中の用紙の搬送を行う搬送ローラ８４等を備え、給紙カセット８１から１枚ずつ送り出された用紙を後述の転写ローラ９１と感光体ドラム３とのニップ部へ向けて搬送する。なお、給紙部８はトナー像が転写された用紙を搬送路８５を経て定着部１１へ搬送し、さらに、定着部１１で定着処理された用紙を、搬送ローラ８６や排出ローラ８７によってプリンタ本体１０上部に設けられた用紙排出トレイ１２まで搬送する。
【００１８】
転写部９は、転写ローラ９１を備え、搬送されてきた用紙を介して該転写ローラ９１を感光体ドラム３に押し付けた状態で、感光体ドラム３上に顕在化されたトナー像を用紙に転写させるものである。搬送路８５における転写部９より下流側の適所には、定着部１１が設けられている。定着部１１は、用紙に転写されたトナー像を定着させるものである。本発明においては、定着部１１における定着ベルトの帯電除去に関して主な特徴点を有しているが、当該特徴点も含め、定着部１１の構成及び動作については後に説明する。
【００１９】
図２は、プリンタ１の電気的な構成の一例を示すブロック図である。同図に示すように、プリンタ１は、ネットワークＩ／Ｆ（インターフェース）部３０、画像データ記憶部４０、操作パネル部５０、記録部６０及び制御部７０を備えている。ネットワークＩ／Ｆ部３０は、ＬＡＮ等のネットワークを介して接続されたＰＣ等の情報処理装置（外部装置）との間における種々のデータの送受信を制御するものである。画像データ記憶部４０は、ネットワークＩ／Ｆ部３０を介してＰＣ等から送信されてきた画像データを一時的に記憶するものである。操作パネル部５０は、プリンタ１のフロント部等に設けられ、ユーザからの各種の操作指示（コマンド）が入力される入力キーとして機能したり、或いは所定の情報を表示するものである。
【００２０】
記録部６０は、上記画像形成部２、給紙部８、転写部９及び定着部１１から構成され、画像データ記憶部４０に記憶されるなどした画像データに基づいて用紙に対する画像印刷（記録）を行うものである。制御部７０は、各種制御プログラムを記憶するＲＯＭ（Read Only Memory）、データを一時的に保管したり作業領域として機能するＲＡＭ（Random Access Memory）、及び上記制御プログラム等をＲＯＭから読み出して実行するマイクロコンピュータ等からなり、上記各機能部に対する各種制御信号の送受信を行い、プリンタ１全体の動作制御を司るものである。制御部７０は、本実施形態においては特に、定着部１１（１１’）の定着動作の制御、例えば後述の定着ローラ１２０や加圧ローラ１４０の回転駆動或いはハロゲンヒータ１１１、１４２のオン、オフ切り替え動作等を制御する。
【００２１】
図３は、本発明に係る定着装置の一例である上記定着部１１の構成を模式的に示す断面図（各ローラ方向と垂直な方向の断面図）である。同図に示すように、定着部１１は加熱ローラ１１０、定着ローラ１２０、定着ベルト１３０及び加圧ローラ１４０を備えている。加熱ローラ１１０は、内部に熱源としての例えばハロゲンヒータ１１１を有し、定着ベルト１３０を加熱するものであり、また、定着ベルト１３０を無端回転可能に支持するものである。加熱ローラ１１０は、長手方向の温度ムラを防止するべく熱伝導率の良好なＡｌ（アルミニウム）やＦｅ（鉄）等の金属材料から構成されている。そして表層には、定着ベルト１３０との摺動性を高めるために例えば耐熱性の樹脂コート、具体的にはＰＦＡ（テトラフルオロエチレン・パーフルオロアルキルビニルエーテル共重合体）やＰＴＦＥ（テトラフルオロエチレン・エチレン共重合体）などのフッ素樹脂をコーティングしたり、該フッ素樹脂がチューブ状に成形されたもので被覆するなどして構成されたコート層１１２が備えられている。
【００２２】
定着ローラ１２０は、定着部１１のニップ部（定着ニップ部１５１）に搬送されてきた、トナー（トナー像）Ｔが転写されている用紙Ｐに対して、後述の定着ベルト１３０及び加圧ローラ１４０と協動して該トナーＴを定着させるものである。定着ローラ１２０は、自身が回転駆動を行うとともに定着ベルト１３０を無端回転可能に支持する。定着ローラ１２０は、ＡｌやＦｅ等のメッキを施してなる無垢或いはパイプ状の芯金上に、ソリッドのＳｉ（シリコン）ゴム等のゴム若しくは樹脂、又は、所定の空間部を分散含有してなる（発泡形状の）Ｓｉゴム等のゴム若しくは樹脂から構成された弾性体層１２１（ここでは弾性体層１２１は水発泡スポンジからなるスポンジ部材で構成されている）が備えられている。
【００２３】
定着ベルト１３０は、加熱ローラ１１０によって加熱されるものであり、この加熱により得られた熱と、後述の加圧ローラ１４０による圧力とによって用紙ＰにトナーＴを定着させるものである。定着ベルト１３０は、加熱ローラ１１０及び定着ローラ１２０に張架された無端状（環状）のベルトからなり、加熱ローラ１１０及び定着ローラ１２０の回転駆動に応じて無端回転する。定着ベルト１３０は、Ｎｉ（ニッケル）や耐熱性のポリイミド樹脂等のベース層上にＳｉゴム等の弾性層を設け、さらにその上に、離形層としてＰＦＡやＰＴＦＥなどのフッ素樹脂をコーティングしたり、該フッ素樹脂がチューブ状に成形されたもので被覆するなどして構成される（定着ベルト１３０はこの離形層で用紙Ｐと接する）。なお、定着ベルト１３０は、定着ローラ１２０の両端部或いは加熱ローラ１１０の両端部に設けた図示しない寄り止め部材等によって、ベルトのずれ、すなわち所謂“ベルト寄り”が規制されている。
【００２４】
加圧ローラ１４０は、定着ローラ１２０（定着ベルト１３０）に対向配置され、回転駆動するとともに、用紙Ｐを介して定着ローラ１２０及び定着ベルト１３０へ向けて圧力を印加するものである。加圧ローラ１４０は、ＡｌやＦｅ等のメッキを施してなる無垢或いはパイプ状の芯金上に、ソリッドのＳｉ（シリコン）ゴム等のゴム若しくは樹脂、又は、所定の空間部を分散含有してなる（発泡形状の）Ｓｉゴム等のゴム若しくは樹脂から構成されたから構成された弾性体層１４１（ここでは弾性体層１４１はＳｉゴムで構成されている）を有し、さらにその上に、離形層として、ＰＦＡやＰＴＦＥなどのフッ素樹脂をコーティングしたり、該フッ素樹脂がチューブ状に成形されたもので被覆するなどして構成される（加圧ローラ１４０はこの離形層で用紙Ｐと接する）。なお、本実施形態では加圧ローラ１４０に熱源としての例えばハロゲンヒータ１４２が内蔵されており、定着ベルト１３０が有する熱量と併せて、良好なトナー定着が行われるのに必要な熱量が印加されるように、加圧ローラ１４０つまり弾性体層１４１を加熱できるようになっている。
【００２５】
ところで、上記加熱ローラ１１０の最外層であるコート層１１２には導電性が付与されている。具体的には、コート層１１２に導電性材料、例えばカーボンブラック等の導電性の微粒子が混合（配合）されている。そして、当該導電性を有する加熱ローラ１１０は、直接、或いは抵抗を通して接地（アース）されている。この加熱ローラ１１０の接地方法は、例えば加熱ローラ１１０の少なくとも一端（定着ベルト１３０が懸架されていない端部箇所）が、該加熱ローラ１１０を回転支持する部材（ローラ支持部材）と例えば摺接するような構成とされる。この加熱ローラ１１０と摺接するローラ支持部材は導電性を有しており、このローラ支持部材から例えば接地線が配線されることによって上記接地がなされる。
【００２６】
また、定着ローラ１２０に対しても、すなわち定着ローラ１２０の最外層である弾性体層１２１にも導電性が付与されている。この場合も同様、弾性体層１２１には導電性材料、例えばカーボンブラック等の導電性の微粒子が混合されており、弾性体層１２１の少なくとも一端が、定着ローラ１２０を回転支持するローラ支持部材と摺接する構成とされており、このローラ支持部材から例えば接地線が配線されることによって上記接地がなされている。
【００２７】
このような構成とすることで、定着ベルト１３０が離形層と用紙との摩擦接触等により帯電したとしても、コート層１１２或いは弾性体層１２１による接地によって定着ベルト１３０を除電する、或いは定着ベルト１３０の帯電摩擦を抑制する（帯電レベルを低減する；例えば当該除電手段を備えていない場合に約５ｋＶを超える大きさのベルト電圧であったものが約１ｋＶ以下にまで低下する）ことができ、ひいては静電オフセットの発生を防止することが可能となる。
【００２８】
本実施形態では、加熱ローラ１１０のコート層１１２及び定着ローラ１２０の弾性体層１２１に導電性を付与した構成としているが、これに限定されず、これらローラのうちの一方のみ導電性を付与する、すなわち一方のローラに対してのみ除電（接地）を行う構成を備えるようにしてもよい。
【００２９】
ところで、定着ベルト１３０を除電する構成としては、前述の内容に限定されず、例えば図４に示す定着部１１’のように、定着ベルト１３０の内周面、すなわち定着ベルト１３０における符号Ａで示す加熱ローラ及び定着ローラ側の面（内面又は裏面）に接触（当接）する除電部材１６０を備えたものとしてもよい。除電部材１６０は、定着ベルト１３０の加熱ローラ１１０及び定着ローラ１２０間における内周面位置、すなわち定着ベルト１３０を支持する支持部材としてのこれら加熱ローラ１１０及び定着ローラ１２０が接触している箇所以外の内周面位置で接触するように設けられている（定着ベルト１３０の内周面と対向配置されている）。この除電部材１６０は、導電性を有し、ブラシ状に構成された部材（ブラシ状除電部材）であり、ここでは、定着ベルト１３０の幅方向に延設されてなる１つのブラシ状除電部材とされている。そして、上記と同様、直接或いは抵抗を介して接地されている。ただし、除電部材１６０は、ブラシ状に構成されたものでなくともよく、要は、無端回転する定着ベルト１３０に対して接触可能な構成であればよい。なお、除電部材１６０の設置位置及び個数は、図４に示す場合に限定されず、適宜最適な位置及び個数で設置される。このような構成によっても、定着ベルト１３０を除電する或いは定着ベルト１３０の帯電摩擦を抑制することができ、ひいては静電オフセットの発生を防止することが可能となる。
【００３０】
なお、加熱ローラ１１０及び定着ローラ１２０に導電性を与えてこれらから除電する場合と、除電部材１６０を設けて定着ベルト１３０から直接除電を行う場合とを同時に実施することが好ましいが、一方の場合だけでも十分な除電効果が得られる。また、前者の場合には、加熱ローラ１１０や定着ローラ１２０などの既設の構成を利用して定着ベルト１３０の内周面側（定着部１１の内部）から除電を行う構成であるため、別途除電専用の装置を備える必要がなく簡易な構成とすることができ、定着部１１のスペースは従来と同等となる。後者の場合は、除電部材１６０を別途設けるものの、これをブラシ状除電部材という簡易（シンプル）な構成とし得る。この場合も除電部材１６０は定着ベルト１３０の内周面側（定着部１１’の内部）に配設されており、定着部１１’のスペースは従来と同等となる。
【００３１】
以上のように本発明に係る定着装置（定着部１１、１１’）によれば、無端状の定着ベルト１３０を介して定着部材（定着ローラ１２０）を押圧する加圧部材（加圧ローラ１４０）を有し、定着ベルト１３０及び加圧部材（加圧ローラ１４０）間に定着ニップ部１５１を構成した定着装置（定着部１１、１１’）において、除電手段（加熱ローラ１１０若しくは加熱ローラ１１０のコート層１１２、及び／又は定着ローラ１２０若しくは定着ローラ１２０の弾性体層１２１、及び／又は除電部材１６０）によって、定着ベルト１３０が該定着ベルト１３０の内周面側から除電される。このように、除電手段を備え、除電手段によって無端状の定着ベルト１３０がその内周面側から除電される構成であるので、帯電防止剤を塗布する手段を設けることなく簡易な構成で且つ従来と同等の設置スペース（定着装置サイズ）を維持して装置の大型化を防止できるとともに、定着ベルト１３０の帯電、例えば通紙による定着ベルト１３０表面の摩擦帯電を抑制して帯電オフセットの発生を防止することが可能となる。
【００３２】
また、定着ベルト１３０を支持する支持部材における、導電性を有し且つ接地された少なくとも一部材から構成されるものが上記除電手段とされるので、別途除電専用の装置等を設ける必要がなく除電手段を支持部材（必ず何らかの支持部材が既存する）と兼用することができ、装置の複雑化及び大型化を防止できる。
【００３３】
また、上記支持部材が、定着ベルト１３０を加熱する加熱ローラ１１０及び定着ローラ１２０とされ、除電手段が、導電性を有し且つ接地されてなる当該加熱ローラ１１０及び／又は定着ローラ１２０とされる、すなわち、除電手段が、導電性を有し且つ接地されてなる支持部材としての加熱ローラ１１０及び定着ローラ１２０の少なくともいずれか一方とされるので、別途除電専用の装置等を設ける必要がなく除電手段を既設の加熱ローラ１１０や定着ローラ１２０と兼用することができ、装置の複雑化及び大型化をより一層防止できる。
【００３４】
また、除電手段が、定着ベルト１３０における該定着ベルト１３０を支持する支持部材間（加熱ローラ１１０及び定着ローラ１２０間）の内周面、すなわち当該支持部材が接触している箇所以外の内周面と接触する除電部材１６０からなるものとされる。このように、除電部材１６０を備え、除電部材１６０によって無端状の定着ベルト１３０がその内周面側から除電される構成であるので、帯電防止剤を塗布する手段を設けることなく簡易な構成で且つ従来と同等の設置スペースを維持して装置の大型化を防止できるとともに、定着ベルト１３０の帯電を抑制して帯電オフセットの発生を防止することが可能となる。
【００３５】
さらに、画像形成装置（プリンタ１）が上記いずれかの構成を備える定着装置（定着部１１或いは定着部１１’）を用いたものとされるので、帯電防止剤を塗布する手段を設けることなく簡易な構成で且つ従来と同等の設置スペース（定着装置サイズ）を維持して装置の大型化を防止できるとともに、定着ベルト１３０の帯電（摩擦帯電）を抑制して帯電オフセットの発生を防止することが可能な画像形成装置を実現できる。また、除電手段が、定着ベルト１３０を支持する導電性を有し且つ接地されてなる支持部材と兼用されたり、さらにはこの支持部材（除電手段）が既設の加熱ローラ１１０及び定着ローラ１２０とされるので、装置の複雑化及び大型化がより一層防止された画像形成装置を実現できる。
【００３６】
なお、本発明は、以下の態様をとることができる。
【００３７】
（Ａ）上記実施形態では、定着部材として定着ローラ１２０を用いる構成としているが、この定着ローラ１２０の代わりに例えば定着パッドを用いる構成としてもよい。
【００３８】
（Ｂ）プリンタ１は、図１に示すようにモノクロ印刷を行う構成に限らず、カラー印刷を行う構成（カラープリンタ）であってもよい。
【図面の簡単な説明】
【００３９】
【図１】本発明に係る画像形成装置の一例であるプリンタの内部構成を概略的に示す断面図である。
【図２】図１に示すプリンタの現像部の構成を示す断面図（現像ローラ方向と垂直な方向の断面図）である。
【図３】図２に示す現像部の符号Ａで示す範囲の部分拡大図である。
【図４】図１に示すプリンタの電気的な構成の一例を示すブロック図である。
【符号の説明】
【００４０】
１  プリンタ（画像形成装置）
１１、１１’  定着部（定着装置）
１１０  加熱ローラ（除電手段、支持部材）
１１２  コート層
１２０  定着ローラ（除電手段、定着部材、支持部材）
１２１、１４１  弾性体層
１３０  定着ベルト
１４０  加圧ローラ（加圧部材）
１５１  定着ニップ部（ニップ部）
１６０  除電部材（除電手段）
【図１】
2007219232.tif 000003
【図２】
2007219232.tif 000004
【図３】
2007219232.tif 000005
【図４】
2007219232.tif 000006